(57)【要約】【課題】限定受信が可能なデジタル放送をＩＰネットワークを用いて放送する場合に、ＩＰネットワークの帯域を圧迫せず、かつ、リアルタイムに制御を可能にする限定受信システム、並びに限定受信システムを構成するデジタル放送再送信装置、受信装置および情報管理装置を提供する。【解決手段】デジタル放送再送信装置１１０は、ＴＳパケット化手段１１１、スクランブル処理／多重手段１１２、マルチキャスト送信手段１１３、顧客情報／鍵情報管理手段１１４、ＥＭＭ生成手段１１５、ＥＣＭ生成手段１１６及びＴＣＰ通信手段１１７を備え、受信装置１３０に対し、映像や音声などのコンテンツとＥＣＭはマルチキャスト送信手段１１３より、また、ＥＭＭは受信装置からの要求に応じてＴＣＰ通信手段１１７よりそれぞれＩＰネットワークを介して送信する。【選択図】図１
2008244717.tif 000002
【特許請求の範囲】
【請求項１】
通信網によって互いに接続されるデジタル放送再送信装置と少なくとも一つの受信装置とで構成され、デジタル放送を限定受信する限定受信システムであって、
前記デジタル放送再送信装置は、
各々の前記受信装置に関する顧客情報やスクランブル処理するための鍵情報などの情報を管理する顧客情報／鍵情報管理手段と、
前記顧客情報／鍵情報管理手段で管理されている情報を基に、各前記受信装置における顧客毎の個別鍵や前記デジタル放送再送信装置固有の鍵であるワーク鍵などの個別情報を生成する個別情報生成手段と、
前記顧客情報／鍵情報管理手段で管理されている情報を基に、番組（サービス）毎に番組毎のスクランブル鍵やコンテンツ視聴可否などの共通情報を生成し、生成した前記共通情報を前記ワーク鍵を用いてスクランブル処理する共通情報生成手段と、
デジタル放送を再送信する場合は、デジタル放送波を受信してＴｒａｎｓｐｏｒｔ  Ｓｔｒｅａｍ（以下、ＴＳと略す）パケットを抽出し、自主制作などのデジタル放送を送信する場合は、映像、音声、データ及びプログラムの少なくとも一つを含むコンテンツをＴＳパケット化するＴＳパケット化手段と、
前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、
前記スクランブル処理／多重手段からのストリーム信号をＩＰパケット化し、それをデジタル放送再送信信号として前記通信網にマルチキャストで送信するマルチキャスト送信手段と、
前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段（Ａ）を具備し、
前記受信装置は、
前記デジタル放送再送信装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳ（Ｃｏｎｄｉｔｉｏｎａｌ  Ａｃｃｅｓｓ  Ｓｙｓｔｅｍ）カードと、
前記通信網を介して前記デジタル放送再送信装置に接続して通信するための接続情報を記憶する接続情報記憶手段と、
前記接続情報記憶手段に記憶されている前記デジタル放送再送信装置への接続情報を基にして前記デジタル放送再送信装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段（Ｂ）と、
前記デジタル放送再送信装置から前記通信網を介して送信される前記デジタル放送再送信信号を受信し、受信した前記デジタル放送再送信信号の中から視聴者が選択した番組を出力するマルチキャスト受信手段と、
前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段（Ｂ）に対し前記デジタル放送再送信装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段を具備する、
ことを特徴とする限定受信システム。
【請求項２】
少なくとも一つの通信網によって互いに接続される情報管理装置と少なくとも一つのデジタル放送再送信装置と少なくとも一つの受信装置とで構成され、デジタル放送を限定受信する限定受信システムであって、
前記情報管理装置は、
前記通信網を介して少なくとも一つの前記デジタル放送再送信装置に接続され、各前記デジタル放送再送信装置における顧客毎の個別鍵や視聴権情報などの情報を統合的に収集／管理する顧客情報／鍵情報管理手段と、
前記顧客情報／鍵情報管理手段で管理されている情報を基に、各前記受信装置における顧客毎の個別鍵や前記デジタル放送再送信装置毎の固有の鍵であるワーク鍵などの個別情報を生成する個別情報生成手段と、
前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段（Ａ）を具備し、
前記デジタル放送再送信装置は、
前記通信網を介して前記情報管理装置に接続され、前記情報管理装置における前記顧客情報／鍵情報管理手段で管理されている情報を基に、番組（サービス）毎に番組毎のスクランブル鍵やコンテンツ視聴可否などの共通情報を生成し、生成した前記共通情報を自らの前記デジタル放送再送信装置の固有の鍵である前記ワーク鍵を用いてスクランブル処理する共通情報生成手段と、
デジタル放送を再送信する場合は、デジタル放送波を受信してＴｒａｎｓｐｏｒｔ  Ｓｔｒｅａｍ（以下、ＴＳと略す）パケットを抽出し、自主制作などのデジタル放送を送信する場合は、映像、音声、データ及びプログラムの少なくとも一つを含むコンテンツをＴＳパケット化するＴＳパケット化手段と、
前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、
前記スクランブル処理／多重手段からのストリーム信号をＩＰパケット化し、それをデジタル放送再送信信号として前記通信網にマルチキャストで送信するマルチキャスト送信手段と、を具備し、
前記受信装置は、
前記情報管理装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳ（Ｃｏｎｄｉｔｉｏｎａｌ  Ａｃｃｅｓｓ  Ｓｙｓｔｅｍ）カードと、
前記通信網を介して前記デジタル放送再送信装置に接続して通信するための接続情報を記憶する接続情報記憶手段と、
前記接続情報記憶手段に記憶されている前記情報管理装置への接続情報を基にして前記情報管理装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段（Ｂ）と、
前記デジタル放送再送信装置から前記通信網を介して送信される前記デジタル放送再送信信号を受信し、受信した前記デジタル放送再送信信号の中から視聴者が選択した番組を出力するマルチキャスト受信手段と、
前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段（Ｂ）に対し前記情報管理装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段を具備する、
ことを特徴とする限定受信システム。
【請求項３】
前記情報管理装置は、複数の前記情報管理装置で構成され、
前記デジタル放送再送信装置は、前記デジタル放送再送信信号に前記接続情報に関する情報が記述されたデータ放送をスクランブル処理なしで多重するとともに、前記データ放送のサービスＩＤをデジタル放送の番組配列情報であるＮＩＴ（Ｎｅｔｗｏｒｋ  Ｉｎｆｏｒｍａｔｉｏｎ  Ｔａｂｌｅ）の先頭に記述する機能をさらに有し、
前記受信装置は、受信した前記データ放送を解析して得られた前記接続情報に関する情報を基に、前記接続情報記憶手段に記憶されている前記接続情報を変更する機能をさらに有する、
ことを特徴とする請求項２記載の限定受信システム。
【請求項４】
前記情報管理装置は、前記デジタル放送再送信装置毎に前記ワーク鍵を発行する鍵発行手段をさらに備え、前記鍵発行手段により発行された前記ワーク鍵を前記通信網を介して各前記デジタル放送再送信装置に送信し、各前記デジタル放送再送信装置は、前記情報管理装置から受信した前記鍵発行手段により発行された前記ワーク鍵を用いて前記共通情報をスクランブル処理することを特徴とする請求項２または３記載の限定受信システム。
【請求項５】
前記デジタル放送再送信装置は、前記スクランブル処理／多重手段からのストリーム信号
に前記デジタル放送再送信装置への前記接続情報を多重して前記マルチキャスト送信手段から前記通信網に送信し、前記受信装置は、前記ＴＳ処理手段において前記接続情報を抽出し、抽出した前記接続情報を前記接続情報記憶手段に記憶する、あるいは前記接続情報記憶手段に記憶している前記接続情報を変更することを特徴とする請求項１または２記載の限定受信システム。
【請求項６】
前記接続情報の前記接続情報記憶手段への記憶あるいは前記接続情報記憶手段に記憶されている前記接続情報の変更は、外部記憶媒体あるいは前記視聴者が前記受信装置を操作することにより行うことができることを特徴とする請求項１ないし５のいずれかに記載の限定受信システム。
【請求項７】
通信網で互いに接続される少なくとも一つの受信装置とともに請求項１記載の限定受信システムを構成するデジタル放送再送信装置であって、
各前記受信装置に関する顧客情報やスクランブル処理するための鍵情報などの情報を管理する顧客情報／鍵情報管理手段と、
前記顧客情報／鍵情報管理手段で管理されている情報を基に、各前記受信装置における顧客毎の個別鍵や前記デジタル放送再送信装置固有の鍵であるワーク鍵などの個別情報を生成する個別情報生成手段と、
前記顧客情報／鍵情報管理手段で管理されている情報を基に、番組（サービス）毎に番組毎のスクランブル鍵やコンテンツ視聴可否などの共通情報を生成し、生成した前記共通情報を前記ワーク鍵を用いてスクランブル処理する共通情報生成手段と、
デジタル放送を再送信する場合は、デジタル放送波を受信してＴｒａｎｓｐｏｒｔ  Ｓｔｒｅａｍ（以下、ＴＳと略す）パケットを抽出し、自主制作などのデジタル放送を送信する場合は、映像、音声、データ及びプログラムの少なくとも一つを含むコンテンツをＴＳパケット化するＴＳパケット化手段と、
前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、
前記スクランブル処理／多重手段からのストリーム信号をＩＰパケット化し、それをデジタル放送再送信信号として前記通信網にマルチキャストで送信するマルチキャスト送信手段と、
前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段と、
を具備することを特徴とするデジタル放送再送信装置。
【請求項８】
通信網で互いに接続されるデジタル放送再送信装置とともに請求項１記載の限定受信システムを構成する受信装置であって、
前記デジタル放送再送信装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳカードと、
前記通信網を介して前記デジタル放送再送信装置に接続して通信するための接続情報を記憶する接続情報記憶手段と、
前記接続情報記憶手段に記憶されている前記デジタル放送再送信装置への接続情報を基にして前記デジタル放送再送信装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段と、
前記デジタル放送再送信装置から前記通信網を介して送信される前記デジタル放送再送信信号を受信し、受信した前記デジタル放送再送信信号の中から視聴者が選択した番組を出力するマルチキャスト受信手段と、
前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段に対し前記デジタル放送再送信装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段と、
を具備することを特徴とする受信装置。
【請求項９】
少なくとも一つの通信網によって互いに接続される少なくとも一つのデジタル放送再送信装置と少なくとも一つの受信装置とともに請求項２記載の限定受信システムを構成する情報管理装置であって、
前記通信網を介して少なくとも一つの前記デジタル放送再送信装置に接続され、各前記デジタル放送再送信装置における顧客毎の個別鍵や視聴権情報などの情報を統合的に収集／管理する顧客情報／鍵情報管理手段と、
前記顧客情報／鍵情報管理手段で管理されている情報を基に、各前記受信装置における顧客毎の個別鍵や前記デジタル放送再送信装置毎の固有の鍵であるワーク鍵などの個別情報を生成する個別情報生成手段と、
前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段と、
を具備することを特徴とする情報管理装置。
【請求項１０】
少なくとも一つの通信網によって互いに接続される情報管理装置と少なくとも一つの受信装置とともに請求項２記載の限定受信システムを構成するデジタル放送再送信装置であって、
前記通信網を介して前記情報管理装置に接続され、前記情報管理装置における前記顧客情報／鍵情報管理手段で管理されている情報を基に、番組（サービス）毎に番組毎のスクランブル鍵やコンテンツ視聴可否などの共通情報を生成し、生成した前記共通情報を自らの前記デジタル放送再送信装置の固有の鍵である前記ワーク鍵を用いてスクランブル処理する共通情報生成手段と、
デジタル放送を再送信する場合は、デジタル放送波を受信してＴＳパケットを抽出し、自主制作などのデジタル放送を送信する場合は、映像、音声、データ及びプログラムの少なくとも一つを含むコンテンツをＴＳパケット化するＴＳパケット化手段と、
前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、
前記スクランブル処理／多重手段からのストリーム信号をＩＰパケット化し、それをデジタル放送再送信信号として前記通信網にマルチキャストで送信するマルチキャスト送信手段と、
を具備することを特徴とするデジタル放送再送信装置。
【請求項１１】
前記デジタル放送再送信信号に前記接続情報に関する情報が記述されたデータ放送をスクランブル処理なしで多重するとともに、前記データ放送のサービスＩＤをデジタル放送の番組配列情報であるＮＩＴ（Ｎｅｔｗｏｒｋ  Ｉｎｆｏｒｍａｔｉｏｎ  Ｔａｂｌｅ）の先頭に記述する機能をさらに有することを特徴とする請求項１０記載のデジタル放送再送信装置。
【請求項１２】
少なくとも一つの通信網によって互いに接続される情報管理装置と少なくとも一つのデジタル放送再送信装置とともに請求項２記載の限定受信システムを構成する受信装置であって、
前記情報管理装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳカードと、
前記通信網を介して前記デジタル放送再送信装置に接続して通信するための接続情報を記憶する接続情報記憶手段と、
前記接続情報記憶手段に記憶されている前記情報管理装置への接続情報を基にして前記情報管理装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段と、
前記デジタル放送再送信装置から前記通信網を介して送信される前記デジタル放送再送信信号を受信し、受信した前記デジタル放送再送信信号の中から視聴者が選択した番組を出力するマルチキャスト受信手段と、
前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段に対し前記情報管理装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段と、
を具備することを特徴とする受信装置。
【請求項１３】
前記マルチキャスト受信手段で受信した前記デジタル放送再送信信号に多重されている前記接続情報を前記ＴＳ処理手段において抽出し、抽出した前記接続情報を前記接続情報記憶手段に記憶する、あるいは前記接続情報記憶手段に記憶されている前記接続情報を変更する機能をさらに有することを特徴とする請求項８または１２記載の受信装置。
【請求項１４】
前記通信網を介して受信した前記情報管理装置が発行した前記ワーク鍵を用いて前記共通情報をスクランブル処理することを特徴とする請求項１０または１１記載のデジタル放送再送信装置。
【請求項１５】
前記接続情報の前記接続情報記憶手段への記憶あるいは前記接続情報記憶手段に記憶されている前記接続情報の変更は、外部記憶媒体あるいは前記視聴者が前記受信装置を操作することにより行うことができることを特徴とする請求項８または１２記載の受信装置。
【発明の詳細な説明】
【技術分野】
【０００１】
本発明は、デジタル放送の限定受信システムに関するもので、特に、ＩＰ（Ｉｎｔｅｒｎｅｔ  Ｐｒｏｔｏｃｏｌ）ネットワーク（以下、ＩＰ網と記す。）を用いてデジタル放送の再送信サービスを行う際の限定受信システム、並びにその限定受信システムを構成するデジタル放送再送信装置、受信装置および情報管理装置に関するものである。
【背景技術】
【０００２】
従来の標準的な限定受信方式は、映像や音声のストリームを主とする放送サービスを対象に設定されている。放送サービスを対象とした限定受信方式としては、例えば、非特許文献１において以下のように規定されている。
【０００３】
図８は、非特許文献１に示されている従来の限定受信方式による限定受信システムの構成を示すブロック図である。図８において、送信側の放送局Ｘ１０１は、映像や音声等のコンテンツをＴｒａｎｓｐｏｒｔ  Ｓｔｒｅａｍ（以下、ＴＳと略す）パケットに変換するＴＳパケット化処理部Ｘ１０１１と、デジタル放送を視聴する視聴者毎の個別鍵Ｋｍ（この個別鍵ＫｍはＩＣカードが保持するＩＣカード毎の個別鍵と同じ鍵）を保持し、放送局Ｘ１０１固有の鍵であるワーク鍵Ｋｗを含み各視聴者用として視聴者毎の個別鍵Ｋｍでスクランブル処理されたＥＭＭ（Ｅｎｔｉｔｌｅｍｅｎｔ  Ｍａｎａｇｅｍｅｎｔ  Ｍｅｓｓａｇｅ：個別情報）および番組毎のスクランブル鍵Ｋｓを含みワーク鍵Ｋｗでスクランブル処理されたＥＣＭ（Ｅｎｔｉｔｌｅｍｅｎｔ  Ｃｏｎｔｒｏｌ  Ｍｅｓｓａｇｅ：共通情報）を生成するＥＭＭ／ＥＣＭ生成部Ｘ１０１３と、ＴＳパケット化されたコンテンツをＥＭＭ／ＥＣＭ生成部Ｘ１０１３から出力される番組（サービス）毎のスクランブル鍵Ｋｓでスクランブル処理して送出するスクランブル処理部Ｘ１０１２と、ＴＳパケット化されスクランブル処理された映像や音声等のコンテンツ、個別鍵Ｋｍでスクランブル処理されたＥＭＭおよびワーク鍵Ｋｗでスクランブル処理されたＥＣＭを多重して送出する多重部Ｘ１０１４とを備えている。一方、受信側は、放送を受信する受信装置Ｘ１０２と、受信装置Ｘ１０２に装着されたＩＣカード（セキュリティモジュール）Ｘ１０３とから成り、受信装置Ｘ１０２は、スクランブルされた映像や音声等のコンテンツをＩＣカードＸ１０３から出力される番組毎のスクランブル鍵Ｋｓを用いてデスクランブルするデスクランブル処理部Ｘ１０２１を備え、ＩＣカードＸ１０３は、自らが保持している視聴者毎の個別鍵Ｋｍを用いて受信したＥＭＭをデスクランブルしてワーク鍵Ｋｗを取り出すとともに、取り出したワーク鍵Ｋｗを用いて受信したＥＣＭをデスクランブルして番組毎のスクランブル鍵Ｋｓを取り出すＥＭＭ／ＥＣＭ解釈部Ｘ１０３１を備えている。
【０００４】
上記の限定受信システムにおいては、放送局Ｘ１０１のＴＳパケット化処理部Ｘ１０１１が、映像や音声等のコンテンツをＴＳパケット化し、スクランブル処理部Ｘ１０１２が、ＴＳパケット化処理部Ｘ１０１１から出力されるＴＳストリームを、ＥＭＭ／ＥＣＭ生成部Ｘ１０１３から取得した番組毎のスクランブル鍵Ｋｓで番組毎にスクランブル処理する。スクランブル処理部Ｘ１０１２は、ＴＳストリームに対するスクランブル処理を時間で管理し、スクランブル処理に使用するスクランブル鍵Ｋｓを所定時間が経過するごとに変更する。このスクランブル処理されたＴＳパケットと個別鍵Ｋｍでスクランブル処理されたＥＭＭおよびワーク鍵Ｋｗでスクランブル処理されたＥＣＭは、多重部Ｘ１０１４において一つのストリームとして多重化された後、受信装置Ｘ１０２に対して送出される。受信装置Ｘ１０２において受信されたＥＭＭおよびＥＣＭは、ＩＣカードＸ１０３のＥＭＭ／ＥＣＭ解釈部Ｘ１０３１に送信される。ＥＭＭ／ＥＣＭ解釈部Ｘ１０３１は、自らが保持している視聴者毎の個別鍵Ｋｍを用いて受信したＥＭＭをデスクランブルしてワーク鍵Ｋｗを取り出すとともに、取り出したワーク鍵Ｋｗを用いて受信したＥＣＭをデスクランブルして番組毎のスクランブル鍵Ｋｓを出力する。受信装置Ｘ１０２のデスクランブル処理部Ｘ１０２１は、放送局Ｘ１０１においてスクランブル処理に使われたスクランブル鍵ＫｓをＩＣカードＸ１０３から順次取得し、受信したＴＳパケット化されたコンテンツのスクランブルを順次解除する。以上のような構成によりデジタル放送の限定受信を実現している。
【非特許文献１】社団法人  電波産業界、「デジタル放送におけるアクセス制御方式標準規格  ＡＲＩＢ  ＳＴＤ−Ｂ２５  ４．１版」（日本）
【発明の開示】
【発明が解決しようとする課題】
【０００５】
ケーブルテレビ（ＣＡＴＶ）においてはデジタル放送を再送信するサービスが行われているが、最近では、このデジタル放送をＩＰ網を使って再送信するサービスを行う動きも出てきている。ＩＰ網を使ってデジタル放送を再送信する場合、再送信するデジタル放送の帯域を考慮する必要があるが、現在のデジタル放送の帯域は、ＢＳデジタル放送の場合で約５２Ｍｂｐｓ、地上デジタル放送の場合で約３０Ｍｂｐｓと広い帯域を必要としている。また、今後新たなデジタル放送サービスが行われる可能性やハイビジョンテレビの普及などを考慮するとさらに高品質な映像を提供するサービスが行われる可能性が高く、それに伴いより広い帯域が必要となることが予想される。現在は、インターネットの普及により各家庭にもブロードバンド環境が整備されつつあるものの、これらすべてのデジタル放送を送信する場合は非常に広い帯域が必要となるので、デジタル放送を送信するための帯域圧縮が望まれている。また、電波を利用した地上デジタル放送などと比較して、視聴者の数はＩＰ網を利用することにより増大することが考えられる。
【０００６】
しかしながら、上述した従来の限定受信方式による限定受信システムにおいては、映像や音声などのストリームとＥＣＭおよびＥＭＭは同一のストリームとして送出するため、視聴者数が増大した場合、ＥＭＭの総量は非常に大きいものになってしまう。このようなストリームを従来のデジタル放送と同様に送出しようとするとより広い帯域が必要となり、ＩＰ網の空き帯域を枯渇させる可能性がある。また、ＥＭＭの最大送出レートは規格として規定されており、そのために、対象となる視聴者すべてのＥＭＭを送出するためには非常に長い周期が必要となるので、視聴者が、最新のＥＭＭ情報を取得しようとしても直ぐには取得できず、リアルタイム性を欠くこととなる。
【０００７】
本発明は、ＩＰ網などの通信網を用いて地上デジタル放送等のデジタル放送を再送信する場合において、通信網の帯域を圧迫せず、リアルタイムに制御が可能な限定受信システム並びに限定受信システムを構成するデジタル放送再送信装置（センタ装置）および受信装置（端末装置）を提供することを目的とするものである。
【課題を解決するための手段】
【０００８】
上記目的を達成するために、本発明の限定受信システムは、センタ装置（デジタル放送再送信装置）において放送コンテンツとＥＭＭ（個別情報）をそれぞれ送信する２つの独立した送信機能を持ち、端末装置（受信装置）においては、放送コンテンツを受信する受信機能と、通信網を介してセンタ装置に接続し自らの端末装置向けのＥＭＭを受信する通信機能を備えることにより、ＩＰ網などの通信網における限定受信システムを提供することを可能とするものである。
【０００９】
以下に、上記目的を達成するための具体的な手段について説明する。
【００１０】
上記目的を達成するために、本願の第１の発明の限定受信システムは、通信網によって互いに接続されるデジタル放送再送信装置と少なくとも一つの受信装置とで構成され、デジタル放送を限定受信する限定受信システムであって、
前記デジタル放送再送信装置は、各々の前記受信装置に関する顧客情報やスクランブル処理するための鍵情報などの情報を管理する顧客情報／鍵情報管理手段と、前記顧客情報／鍵情報管理手段で管理されている情報を基に、各前記受信装置における顧客毎の個別鍵や前記デジタル放送再送信装置固有の鍵であるワーク鍵などの個別情報を生成する個別情報生成手段と、前記顧客情報／鍵情報管理手段で管理されている情報を基に、番組（サービス）毎に番組毎のスクランブル鍵やコンテンツ視聴可否などの共通情報を生成し、生成した前記共通情報を前記ワーク鍵を用いてスクランブル処理する共通情報生成手段と、デジタル放送を再送信する場合は、デジタル放送波を受信してＴｒａｎｓｐｏｒｔ  Ｓｔｒｅａｍ（以下、ＴＳと略す）パケットを抽出し、自主制作などのデジタル放送を送信する場合は、映像、音声、データ及びプログラムの少なくとも一つを含むコンテンツをＴＳパケット化するＴＳパケット化手段と、前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、前記スクランブル処理／多重手段からのストリーム信号をＩＰパケット化し、それをデジタル放送再送信信号として前記通信網にマルチキャストで送信するマルチキャスト送信手段と、前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段（Ａ）を具備し、
前記受信装置は、前記デジタル放送再送信装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳ（Ｃｏｎｄｉｔｉｏｎａｌ  Ａｃｃｅｓｓ  Ｓｙｓｔｅｍ）カードと、前記通信網を介して前記デジタル放送再送信装置に接続して通信するための接続情報を記憶する接続情報記憶手段と、前記接続情報記憶手段に記憶されている前記デジタル放送再送信装置への接続情報を基にして前記デジタル放送再送信装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段（Ｂ）と、前記デジタル放送再送信装置から前記通信網を介して送信される前記デジタル放送再送信信号を受信し、受信した前記デジタル放送再送信信号の中から視聴者が選択した番組を出力するマルチキャスト受信手段と、前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段（Ｂ）に対し前記デジタル放送再送信装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段を具備する、ことを特徴とするものである。
【００１１】
また、本願の第２の発明の限定受信システムは、少なくとも一つの通信網によって互いに接続される情報管理装置と少なくとも一つのデジタル放送再送信装置と少なくとも一つの受信装置とで構成され、デジタル放送を限定受信する限定受信システムであって、
前記情報管理装置は、前記通信網を介して少なくとも一つの前記デジタル放送再送信装置に接続され、各前記デジタル放送再送信装置における顧客毎の個別鍵や視聴権情報などの情報を統合的に収集／管理する顧客情報／鍵情報管理手段と、前記顧客情報／鍵情報管理手段で管理されている情報を基に、各前記受信装置における顧客毎の個別鍵や前記デジタル放送再送信装置毎の固有の鍵であるワーク鍵などの個別情報を生成する個別情報生成手段と、前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段（Ａ）を具備し、
前記デジタル放送再送信装置は、前記通信網を介して前記情報管理装置に接続され、前記情報管理装置における前記顧客情報／鍵情報管理手段で管理されている情報を基に、番組（サービス）毎に番組毎のスクランブル鍵やコンテンツ視聴可否などの共通情報を生成し、生成した前記共通情報を自らの前記デジタル放送再送信装置の固有の鍵である前記ワーク鍵を用いてスクランブル処理する共通情報生成手段と、デジタル放送を再送信する場合は、デジタル放送波を受信してＴｒａｎｓｐｏｒｔ  Ｓｔｒｅａｍ（以下、ＴＳと略す）パケットを抽出し、自主制作などのデジタル放送を送信する場合は、映像、音声、データ及びプログラムの少なくとも一つを含むコンテンツをＴＳパケット化するＴＳパケット化手段と、前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、前記スクランブル処理／多重手段からのストリーム信号をＩＰパケット化し、それをデジタル放送再送信信号として前記通信網にマルチキャストで送信するマルチキャスト送信手段と、を具備し、
前記受信装置は、前記情報管理装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳカードと、前記通信網を介して前記デジタル放送再送信装置に接続して通信するための接続情報を記憶する接続情報記憶手段と、前記接続情報記憶手段に記憶されている前記情報管理装置への接続情報を基にして前記情報管理装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段（Ｂ）と、前記デジタル放送再送信装置から前記通信網を介して送信される前記デジタル放送再送信信号を受信し、受信した前記デジタル放送再送信信号の中から視聴者が選択した番組を出力するマルチキャスト受信手段と、前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段（Ｂ）に対し前記情報管理装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段を具備する、
ことを特徴とするものである。
【００１２】
また、本願の第３の発明の限定受信システムは、本願の第２の発明の限定受信システムにおいて、
前記情報管理装置は、複数の前記情報管理装置で構成され、
前記デジタル放送再送信装置は、前記デジタル放送再送信信号に前記接続情報に関する情報が記述されたデータ放送をスクランブル処理なしで多重するとともに、前記データ放送のサービスＩＤをデジタル放送の番組配列情報であるＮＩＴ（Ｎｅｔｗｏｒｋ  Ｉｎｆｏｒｍａｔｉｏｎ  Ｔａｂｌｅ）の先頭に記述する機能をさらに有し、
前記受信装置は、受信した前記データ放送を解析して得られた前記接続情報に関する情報を基に、前記接続情報記憶手段に記憶されている前記接続情報を変更する機能をさらに有する、ことを特徴とするものである。
【００１３】
また、本願の第４の発明の限定受信システムは、本願の第２の発明または第３の発明の限定受信システムにおいて、
前記情報管理装置は、前記デジタル放送再送信装置毎に前記ワーク鍵を発行する鍵発行手段をさらに備え、前記鍵発行手段により発行された前記ワーク鍵を前記通信網を介して各前記デジタル放送再送信装置に送信し、
各前記デジタル放送再送信装置は、前記情報管理装置から受信した前記鍵発行手段により発行された前記ワーク鍵を用いて前記共通情報をスクランブル処理することを特徴とするものである。
【００１４】
また、本願の第５の発明の限定受信システムは、本願の第１の発明または第２の発明の限定受信システムにおいて、
前記デジタル放送再送信装置は、前記スクランブル処理／多重手段からのストリーム信号に前記デジタル放送再送信装置への前記接続情報を多重して前記マルチキャスト送信手段から前記通信網に送信し、
前記受信装置は、前記ＴＳ処理手段において前記接続情報を抽出し、抽出した前記接続情報を前記接続情報記憶手段に記憶する、あるいは前記接続情報記憶手段に記憶している前記接続情報を変更することを特徴とするものである。
【００１５】
また、本願の第６の発明の限定受信システムは、本願の第１の発明ないし第５の発明のいずれかの限定受信システムにおいて、
前記接続情報の前記接続情報記憶手段への記憶あるいは前記接続情報記憶手段に記憶されている前記接続情報の変更は、外部記憶媒体あるいは前記視聴者が前記受信装置を操作することにより行うことができることを特徴とする
また、本願の第７の発明のデジタル放送再送信装置は、通信網で互いに接続される少なくとも一つの受信装置とともに本願の第１の発明の限定受信システムを構成するデジタル放送再送信装置であって、
各前記受信装置に関する顧客情報やスクランブル処理するための鍵情報などの情報を管理する顧客情報／鍵情報管理手段と、前記顧客情報／鍵情報管理手段で管理されている情報を基に、各前記受信装置における顧客毎の個別鍵や前記デジタル放送再送信装置固有の鍵であるワーク鍵などの個別情報を生成する個別情報生成手段と、前記顧客情報／鍵情報管理手段で管理されている情報を基に、番組（サービス）毎に番組毎のスクランブル鍵やコンテンツ視聴可否などの共通情報を生成し、生成した前記共通情報を前記ワーク鍵を用いてスクランブル処理する共通情報生成手段と、デジタル放送を再送信する場合は、デジタル放送波を受信してＴＳパケットを抽出し、自主制作などのデジタル放送を送信する場合は、映像、音声、データ及びプログラムの少なくとも一つを含むコンテンツをＴＳパケット化するＴＳパケット化手段と、前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、前記スクランブル処理／多重手段からのストリーム信号をＩＰパケット化し、それをデジタル放送再送信信号として前記通信網にマルチキャストで送信するマルチキャスト送信手段と、前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段と、を具備することを特徴とするものである。
【００１６】
また、本願の第８の発明の受信装置は、通信網で互いに接続されるデジタル放送再送信装置とともに本願の第１の発明の限定受信システムを構成する受信装置であって、
前記デジタル放送再送信装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳカードと、前記通信網を介して前記デジタル放送再送信装置に接続して通信するための接続情報を記憶する接続情報記憶手段と、前記接続情報記憶手段に記憶されている前記デジタル放送再送信装置への接続情報を基にして前記デジタル放送再送信装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段と、前記デジタル放送再送信装置から前記通信網を介して送信される前記デジタル放送再送信信号を受信し、受信した前記デジタル放送再送信信号の中から視聴者が選択した番組を出力するマルチキャスト受信手段と、前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段に対し前記デジタル放送再送信装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段と、を具備することを特徴とするものである。
【００１７】
また、本願の第９の発明の情報管理装置は、少なくとも一つの通信網によって互いに接続される少なくとも一つのデジタル放送再送信装置と少なくとも一つの受信装置とともに本願の第２の発明の限定受信システムを構成する情報管理装置であって、
前記通信網を介して少なくとも一つの前記デジタル放送再送信装置に接続され、各前記デジタル放送再送信装置における顧客毎の個別鍵や視聴権情報などの情報を統合的に収集／管理する顧客情報／鍵情報管理手段と、前記顧客情報／鍵情報管理手段で管理されている情報を基に、各前記受信装置における顧客毎の個別鍵や前記デジタル放送再送信装置毎の固有の鍵であるワーク鍵などの個別情報を生成する個別情報生成手段と、前記通信網を介して前記受信装置に接続され、特定の前記受信装置からの送信要求に応じて前記個別情報生成手段から出力される前記特定の前記受信装置に関する前記個別情報を、前記通信網を介して前記特定の前記受信装置に送信する通信手段と、を具備することを特徴とするものである。
【００１８】
また、本願の第１０の発明のデジタル放送再送信装置は、少なくとも一つの通信網によって互いに接続される情報管理装置と少なくとも一つの受信装置とともに本願の第２の発明の限定受信システムを構成するデジタル放送再送信装置であって、
前記通信網を介して前記情報管理装置に接続され、前記情報管理装置における前記顧客情報／鍵情報管理手段で管理されている情報を基に、番組（サービス）毎に番組毎のスクランブル鍵やコンテンツ視聴可否などの共通情報を生成し、生成した前記共通情報を自らの前記デジタル放送再送信装置の固有の鍵である前記ワーク鍵を用いてスクランブル処理する共通情報生成手段と、デジタル放送を再送信する場合は、デジタル放送波を受信してＴＳパケットを抽出し、自主制作などのデジタル放送を送信する場合は、映像、音声、データ及びプログラムの少なくとも一つを含むコンテンツをＴＳパケット化するＴＳパケット化手段と、前記ＴＳパケット化手段からのＴＳパケットストリーム信号を番組毎に前記共通情報生成手段で生成された番組毎の前記スクランブル鍵を用いてスクランブル処理するとともに、前記スクランブル処理されたストリーム信号に前記共通情報生成手段で生成され、前記ワーク鍵を用いてスクランブル処理された前記共通情報を多重するスクランブル処理／多重手段と、前記スクランブル処理／多重手段からのストリーム信号をＩＰパケット化し、それをデジタル放送再送信信号として前記通信網にマルチキャストで送信するマルチキャスト送信手段と、を具備することを特徴とするものである。
【００１９】
また、本願の第１１の発明のデジタル放送再送信装置は、本願の第１０の発明のデジタル放送再送信装置において、
前記デジタル放送再送信信号に前記接続情報に関する情報が記述されたデータ放送をスクランブル処理なしで多重するとともに、前記データ放送のサービスＩＤをデジタル放送の番組配列情報であるＮＩＴ（Ｎｅｔｗｏｒｋ  Ｉｎｆｏｒｍａｔｉｏｎ  Ｔａｂｌｅ）の先頭に記述する機能をさらに有することを特徴とするものである。
【００２０】
また、本願の第１２の発明の受信装置は、少なくとも一つの通信網によって互いに接続される情報管理装置と少なくとも一つのデジタル放送再送信装置とともに本願の第２の発明の限定受信システムを構成する受信装置であって、
前記情報管理装置において生成される前記顧客毎の個別鍵と同じ個別鍵を保持し、前記デジタル放送再送信装置において番組毎にスクランブル処理されたコンテンツをデスクランブル処理するための個別情報などを保持／出力するＣＡＳカードと、前記通信網を介して前記デジタル放送再送信装置に接続して通信するための接続情報を記憶する接続情報記憶手段と、前記接続情報記憶手段に記憶されている前記情報管理装置への接続情報を基にして前記情報管理装置に接続し、自らの前記受信装置に関する前記個別情報の送信要求を行なって前記個別情報を取得し、前記取得した前記個別情報のバージョンを判別して更新されている場合は、前記取得した前記個別情報を前記ＣＡＳカードに送信して前記ＣＡＳカードに保持されている前記個別情報を更新する通信手段と、前記デジタル放送再送信装置から前記通信網を介して送信される前記デジタル放送再送信信号を受信し、受信した前記デジタル放送再送信信号の中から視聴者が選択した番組を出力するマルチキャスト受信手段と、前記マルチキャスト受信手段から出力された前記視聴者が選択した番組に対する前記個別情報が多重されているか否かを判別し、前記個別情報が多重されていない場合は前記視聴者が選択した番組をデコード処理し、前記個別情報が多重されている場合は前記通信手段に対し前記情報管理装置に自らの前記受信装置に関する前記個別情報の送信要求を行うように指示し、前記ＣＡＳカードに保持／更新された情報に基づき、前記視聴者が選択した番組をデスクランブル処理した後デコード処理するＴＳ処理手段と、を具備することを特徴とするものである。
【００２１】
また、本願の第１３の発明の受信装置は、本願の第８または１２の発明の受信装置において、
前記マルチキャスト受信手段で受信した前記デジタル放送再送信信号に多重されているデータ放送を解析して得られた前記接続情報に関する情報を基に、前記接続情報記憶手段に記憶されている前記接続情報を変更する機能をさらに有することを特徴とするものである。
【００２２】
また、本願の第１４の発明のデジタル放送再送信装置は、本願の第１０の発明または第１１の発明のデジタル放送再送信装置において、
前記通信網を介して受信した前記情報管理装置が発行した前記ワーク鍵を用いて前記共通情報をスクランブル処理することを特徴とするものである。
【００２３】
また、本願の第１５の発明の受信装置は、本願の第８の発明または第１２の発明の受信装置において、
前記接続情報の前記接続情報記憶手段への記憶あるいは前記接続情報記憶手段に記憶されている前記接続情報の変更は、外部記憶媒体あるいは前記視聴者が前記受信装置を操作することにより行うことができることを特徴とするものである。
【発明の効果】
【００２４】
本発明に係る限定受信システムは、地上デジタル放送などのデジタル放送を、デジタル通信手段であるＩＰ網などの通信網を用いて放送する場合に、通信網の帯域を圧迫せず、かつ、リアルタイムに制御が可能な限定受信システム並びに限定受信システムを構成するデジタル放送再送信装置および受信装置を提供することができるという効果を有する。
【発明を実施するための最良の形態】
【００２５】
以下に、本発明を実施するための形態について、図面を参照しながら説明する。
【００２６】
（実施の形態１）
図１は、本発明の実施の形態１における限定受信システムの構成を示すブロック図である。
【００２７】
図１において、センタ装置（デジタル放送再送信装置）１１０は、デジタル放送を配信する装置であり、デジタル放送波を受信してＴＳパケットを抽出する、あるいは、映像、音声、データ及びプログラムの少なくとも一つを含むコンテンツをＴＳパケット化するＴＳパケット化手段１１１と、ＴＳパケットをスクランブル処理し、ＥＣＭ（共通情報）を多重するスクランブル処理／多重手段１１２と、スクランブル処理されたＴＳパケットをＩＰマルチキャストで通信網１２０に送信するマルチキャスト送信手段１１３と、センタ装置１１０が配信するデジタル放送の視聴者の情報やスクランブル処理するための鍵情報などを管理する顧客情報／鍵情報管理手段１１４と、ＥＭＭ（個別情報）を生成するＥＭＭ生成手段１１５と、ＥＣＭを生成するＥＣＭ生成手段１１６と、ＥＭＭをＨＴＴＰ（Ｈｙｐｅｒ  Ｔｅｘｔ  Ｍａｒｋｕｐ  Ｌａｎｇｕａｇｅ）プロトコルで通信網１２０を介して端末装置１３０に送信するＴＣＰ（Ｔｒａｎｓｍｉｓｓｉｏｎ  Ｃｏｎｔｒｏｌ  Ｐｒｏｔｏｃｏｌ）通信手段１１７で構成される。
【００２８】
一方、端末装置（受信装置）１３０は、通信網１２０に接続され、ＩＰマルチキャストで配信される映像や音声などのコンテンツおよびＥＣＭなどを受信するマルチキャスト受信手段１３２と、センタ装置１１０からＥＭＭを取得するＴＣＰ通信手段１３１と、ＴＣＰ通信手段１３１が接続するセンタ装置１１０のアドレス情報などを保持する接続情報記憶手段１３５と、マルチキャスト受信手段１３２で受信した映像や音声などのコンテンツをデスクランブル処理およびデコード処理し、表示手段（図示せず）へ出力するＴＳ処理手段１３３と、端末装置１３０毎の個別鍵Ｋｍを保持し、スクランブル処理されたコンテンツをデスクランブル処理するための情報を保持／出力するＣＡＳカード１３４とで構成されるデジタル放送の受信装置である。
【００２９】
なお、本発明の実施の形態１においては、通信方式はインターネット・プロトコルを用いたマルチキャスト通信およびＴＣＰ上のＨＴＴＰプロトコルを利用した通信を例にとって説明するが、これに限定されるものではない。
【００３０】
また、本発明の実施の形態１におけるセンタ装置１１０の送信手段であるマルチキャスト送信手段１１３は、変調器を備えるようにしてもよく、例えば、ケーブルテレビ網（ＣＡＴＶ網）の変調器である６４ＱＡＭ（Ｑｕａｄｒａｔｕｒｅ  Ａｍｐｌｉｔｕｄｅ  Ｍｏｄｕｌａｔｉｏｎ）を備え、６４ＱＡＭ信号を送信するようにしてもよい。
【００３１】
また、本発明の実施の形態１におけるデジタル放送は、ＩＰ網を使って再送信されるデジタル放送、あるいは、ＣＡＴＶ網により再送信されるデジタル放送等を意味し、これらのデジタル放送には、自主デジタル放送、地上デジタル放送、ＢＳデジタル放送およびＣＳデジタル放送等のコンテンツが含まれる。
【００３２】
次に、以上のように構成された本発明の実施の形態１における限定受信システムの動作について説明する。
【００３３】
まず、センタ装置１１０の動作について詳述する。
【００３４】
顧客情報／鍵情報管理手段１１４は、センタ装置１１０が送信するデジタル放送を視聴する各視聴者の各端末装置１３０にそれぞれ挿入されるＣＡＳカード１３４が保持する個別鍵ＫｍやＥＭＭに挿入するセンタ装置１１０固有の鍵であるワーク鍵Ｋｗなどの情報、さらには、ティア情報などの限定受信情報やコンテンツへのアクセス限定領域などの情報を管理する。ＥＣＭ生成手段１１６は、映像や音声などのコンテンツをスクランブル処理するための番組（サービス）毎のスクランブル鍵Ｋｓを生成するとともに、スクランブル鍵Ｋｓを含みコンテンツの視聴可否や録画可否などの各番組に付随する情報であるＥＣＭを生成し、生成したＥＣＭをワーク鍵Ｋｗを用いてスクランブル処理する。ＥＭＭ生成手段１１５は、ワーク鍵Ｋｗとデジタル放送の視聴権情報などを含むＥＭＭを視聴者（契約者）毎に生成し、生成した視聴者毎のＥＭＭを視聴者毎の個別鍵Ｋｍを用いてスクランブル処理する。ＥＭＭ生成手段１１５で生成されスクランブル処理されたＥＭＭは、通信網１２０を介して端末装置１３０と通信するための通信手段であるＴＣＰ通信手段１１７により通信網１２０送信される。ＴＣＰ通信手段１１７は、ＨＴＴＰサーバとしての機能を有し、各端末装置１３０からのＥＭＭ送信要求に基づいて、ＥＭＭをＨＴＴＰプロトコルで送信する。
【００３５】
なお、ＴＣＰ通信手段１１７は、ＨＴＴＰサーバとしての機能を有するとしたが、これに限定するものではなく、例えば、ＦＴＰ（Ｆｉｌｅ  Ｔｒａｎｓｐｏｒｔ  Ｐｒｏｔｃｏｌ）サーバなどの機能を有するようにしてもよい。
【００３６】
また、センタ装置１１０の通信手段であるＴＣＰ通信手段１１７は、ＴＣＰを用いた通信手段に限るものではなく、例えば、ＵＤＰ（Ｕｓｅｒ  Ｄａｔａｇｒａｍ  Ｐｒｏｔｃｏｌ）などのプロトコルを用いた通信手段であっても勿論構わない。
【００３７】
ＴＳパケット化手段１１１は、デジタル放送を再送信する場合は、デジタル放送波を受信してＴＳパケットを抽出し、自主制作などのデジタル放送を送信する場合は、映像、音声、データ及びプログラム（例えば、端末装置１３０用のソフトウェア等）の少なくとも一つを含むコンテンツをＴＳパケット化し、抽出したＴＳパケットあるいはコンテンツをＴＳパケット化したＴＳパケットストリーム信号をスクランブル処理／多重手段１１２に送信する。スクランブル処理／多重手段１１２は、ＴＳパケット化手段１１１から出力されるＴＳパケットストリーム信号を、ＥＣＭ生成手段１１６から取得した番組毎のスクランブル鍵Ｋｓで番組毎にスクランブル処理し、さらに、ＥＣＭ生成手段１１６から取得した、ワーク鍵Ｋｗでスクランブル処理されたＥＣＭを、スクランブル鍵Ｋｓでスクランブル処理されたストリームに多重して、それをマルチキャスト送信手段１１３に出力する。送信手段であるマルチキャスト送信手段１１３は、スクランブル処理／多重手段１１２から取得したストリームをＩＰパケット化し、それを通信網１２０にマルチキャストで送信する。
【００３８】
なお、マルチキャスト通信に使用するマルチキャストアドレスやポート番号などのパラメータの運用は、予め規定したパラメータを用いても良いし、センタ装置１１０が端末装置１３０と通信網１２０を介してネゴシエーションし、都度パラメータを決定しても良く、ここでは特に規定しない。
【００３９】
以上のように構成することにより、センタ装置１１０は、映像や音声などのコンテンツを送信する送信手段とは別の通信手段を用いて、ＥＭＭを各端末装置１３０に送信することが出来る。
【００４０】
次に、端末装置１３０の動作について、図１および図２を参照して詳述する。なお、図２は、端末装置１３０におけるＥＭＭの取得に関する処理を示すフローチャートである。
【００４１】
端末装置１３０は、視聴者により番組の選局（サービスの選局）が行われる（Ｓ２００）と、マルチキャスト受信手段１３２においてデジタル放送を受信するための受信パラメータの設定を行う（Ｓ２０１）。受信パラメータの設定とは、受信マルチキャストアドレスやポート番号などを設定することであるが、これらの受信パラメータを設定するための情報は予め記憶しておいても良いし、端末装置１３０におけるユーザーインターフェースなどを用いて入力しても良く、その設定方法は特に限定するものではない。マルチキャスト受信手段１３２で受信したデータはＴＳ処理手段１３３に送信され、ＴＳ処理手段１３３において以下に示すような処理が行われる。
【００４２】
まず、ＭＰＥＧ２  Ｓｙｓｔｅｍｓ規格で定義されているＰＡＴ（Ｐｒｏｇｒａｍ  Ａｓｓｏｃｉａｔｉｏｎ  Ｔａｂｌｅ）を判別し、デジタル放送に含まれるサービスを抽出する（Ｓ２０２）。ＰＡＴの判別は１３ビットで表現されるＰＩＤ（Ｐａｃｋｅｔ  ＩＤ）を用いて行い、ＰＩＤ＝０のＴＳパケットを抽出すればよい。次に、ＰＡＴから抽出したサービスを基にＰＭＴ（Ｐｒｏｇｒａｍ  Ｍａｐ  Ｔａｂｌｅ）を抽出する（Ｓ２０３）。ＰＭＴの判別は、ＰＡＴに記載されるＰＭＴのＰＩＤ値を基に抽出することができる。次に、抽出したＰＭＴを解析し、ＰＭＴの中に対象のデジタル放送サービスあるいはデジタル放送番組に対してＥＣＭが伝送されているかどうかを示す記述子である限定受信方式記述子が記載されているか否かを判別する（Ｓ２０４）。限定受信方式記述子が記載されていなければ、対象のデジタル放送サービスはスクランブル処理されていないものと判断し、デコード処理に移行する（Ｓ２０８）。限定受信方式記述子が記載されている場合は、対象のデジタル放送サービスはスクランブル処理されているものと判断し、接続情報記憶手段１３５に記憶されているセンタ装置１１０のＴＣＰ通信手段１１７のアドレス情報を基に、送信要求を送信する相手先アドレスを抽出し、この抽出したアドレスを有するセンタ装置１１０のＴＣＰ通信手段１１７に対して、ＴＣＰ通信手段１３１から自身の端末装置１３０に関するＥＭＭの送信要求を行う（Ｓ２０５）。送信要求に基づきセンタ装置１１０から取得したＥＭＭに記載されているバージョン番号を判別し（Ｓ２０６）、取得したＥＭＭがすでに取得しているＥＭＭから更新されている場合は、新たに取得したＥＭＭをＣＡＳカード１３４に送信し、すでに取得／保持しているＥＭＭを今回取得したＥＭＭに更新する（Ｓ２０７）。ＣＡＳカード１３４において、更新したＥＭＭを自身の個別鍵Ｋｍでデスクランブル処理することにより、更新したＥＭＭに記載されているワーク鍵Ｋｗを取得することができる。以上のように構成することにより、端末装置１３０は、スクランブル処理されたコンテンツのデスクランブル処理に際して、最新のＥＭＭの情報をセンタ装置１１０から取得することが出来る。
【００４３】
ＥＭＭの取得／更新が完了すると、ＴＳ処理手段１３３は、マルチキャスト受信手段１
３２が受信したストリームからＥＣＭを抽出し、抽出したＥＣＭをＥＭＭと同様にＣＡＳカード１３４に渡す。ＣＡＳカード１３４は、新たに取得したワーク鍵Ｋｗ（更新したＥＭＭに記載されていたワーク鍵Ｋｗ）を用いてＴＳ処理手段１３３から受け取ったＥＣＭをデスクランブル処理することにより、対象のデジタル放送番組（サービス）をスクランブル処理しているスクランブル鍵Ｋｓを抽出し、その抽出したスクランブル鍵ＫｓをＴＳ処理手段１３３に渡す。なお、ＥＣＭの特定は、ＰＭＴに記載されている限定受信方式記述子にＥＣＭのＰＩＤが記述されているので、このＥＣＭのＰＩＤを用いてＥＣＭを特定する。以上により、ＴＳ処理手段１３３は、デスクランブル処理に必要な鍵情報をすべて取得することができ、マルチキャスト受信手段１３２で受信した番組のデスクランブル／デコード処理を行う（Ｓ２０８）ことが出来る。
【００４４】
図４は、従来のデジタル放送番組（サービス）にＥＭＭを多重した場合のストリームの構造と、本発明の実施の形態１におけるストリームの構造を比較して示した図であり、すなわち、本発明の実施の形態１による伝送帯域削減の様子を示した図である。
【００４５】
図４において、ストリーム（Ａ）は従来のデジタル放送番組のストリームを示し、ストリーム（Ｂ）は本発明におけるストリームを示す。図４に示すように、本発明においては、ＥＭＭをセンタ装置１１０のＴＣＰ通信手段１１７から各々の端末装置１３０に送信することにより、デジタル放送番組のストリームの帯域を削減することができる。また、上述したように、センタ装置１１０は、各々の端末装置１３０からの送信要求に応じて各々の端末装置１３０に対してＥＭＭを送信することが出来るので、各々の端末装置１３０に対してリアルタイムでＥＭＭの送信を行うことができる。
【００４６】
なお、本発明の実施の形態１においては、ＥＭＭを送信要求する場合の条件として、受信／抽出したＰＭＴに限定受信方式記述子の記述が有る場合、としたがこれに限るものではなく、例えば、図３はＴＳパケットの構成の一例を示す図であるが、図３に示すＴＳパケットのヘッダ情報中のｔｒａｎｓｐｏｒｔ＿ｓｃｒａｍｂｌｅ＿ｃｏｎｔｒｏｌを判別し、この値が０（２ビット値）以外の場合は対象のデジタル放送番組がスクランブル処理されていると判断し、ＥＭＭの送信要求を行うようにしても良い。また、ＥＭＭが更新されているか否かの判別をバージョン番号を用いて行ったが、これに限定するものではなく、例えば、ＥＭＭのＣＲＣ（Ｃｙｃｌｉｃ  Ｒｅｄｕｎｄａｎｃｙ  Ｃｈｅｃｋ）コードやＥＭＭのセクション長などを用いて更新されているか否かの判別を行ってもよい。
【００４７】
また、本発明の実施の形態１において、接続情報記憶手段１３５にＥＭＭの送信要求を送信する相手先アドレス（ここではセンタ装置１１０のアドレス）などの情報、すなわち、接続情報をどのように記憶させるかあるいは変更させるかについての具体的な説明をしなかったが、端末装置１３０がセンタ装置１１０への接続情報を取得して接続情報記憶手段１３５に記憶あるいは変更させる一つの方法として、センタ装置１１０は、スクランブル処理／多重手段１１２から出力するストリーム信号にセンタ装置１１０への接続情報を多重（例えば、デジタル放送に多重されるデータ放送に接続情報を記述する）してマルチキャスト送信手段１１３から通信網１２０に送信し、端末装置１３０は、マルチキャスト受信手段１３２で受信したストリーム信号に多重されているセンタ装置１１０への接続情報をＴＳ処理手段１３３において抽出し、抽出した接続情報を基に接続情報記憶手段１３５に記憶あるいは記憶している接続情報を変更するようにすればよい。また、外部記憶媒体により、あるいは視聴者が別途取得した接続情報を端末装置１３０を操作することにより接続情報記憶手段１３５に記憶するようにしてもよい。さらに、接続情報記憶手段１３５に記憶された接続情報を、外部記憶媒体により、あるいは視聴者が端末装置１３０を操作することにより書き換えが可能になるようにしてもよい。
【００４８】
（実施の形態２）
図５を用いて本発明の実施の形態２について説明する。なお、図５は、本発明の実施の形態２における限定受信システムの構成を示すブロック図である。
【００４９】
図５において、情報管理装置５００は、基本的には、本発明の実施の形態１におけるセンタ装置１１０が具備した、顧客情報／鍵情報管理手段１１４、ＥＭＭ生成手段１１５及びＴＣＰ通信手段１１７と同等の手段を具備するもので、複数のセンタ装置５１０〜５１ｎ（ｎは１〜９の整数）がそれぞれ配信するデジタル放送のそれぞれの視聴者の情報や、スクランブル処理するための鍵情報などを管理する顧客情報／鍵情報管理手段５０３と、ＥＭＭを生成するＥＭＭ生成手段５０２と、ＥＭＭをＨＴＴＰプロトコルで配信するＴＣＰ通信手段５０１で構成される。センタ装置５１０〜５１ｎは、基本的には、本発明の実施の形態１におけるセンタ装置１１０の構成から情報管理装置５００が備える機能／構成、すなわち、図１における顧客情報／鍵情報管理手段１１４、ＥＭＭ生成手段１１５およびＴＣＰ通信手段１１７を省いた構成になっており、上記以外の機能、すなわち、図１におけるＴＳパケット化手段１１１、スクランブル処理／多重手段１１２、マルチキャスト送信手段１１３およびＥＣＭ生成手段１１６については、本発明の実施の形態１におけるそれぞれの機能と基本的には同一であるが、顧客情報／鍵情報管理手段５０３とＥＣＭ生成手段１１６は、通信網５２１または通信網５２０を介して情報のやり取り行うように構成される。以上のように、本発明の実施の形態２における限定受信システムは、情報管理装置５００およびセンタ装置５１０〜５１ｎと、インターネット・プロトコルを用いた通信網５２０と、本発明の実施の形態１における端末装置１３０と同様の機能／構成を有する端末装置５３０〜５３ｎ（ｎは１〜９の整数）で構成される。したがって、ここでは、本発明の実施の形態１と異なる部分の説明をし、同様の機能／構成については説明を省略する。なお、ここでは、センタ装置５１０〜５１ｎ及び端末装置５３０〜５３ｎは、それぞれ最大１０台を配置する場合を例に説明するが、それぞれの装置の数はこれに限るものではない。
【００５０】
まず、情報管理装置５００の動作について詳述する。
【００５１】
情報管理装置５００において、顧客情報／鍵情報管理手段５０３は、複数のセンタ装置５１０〜５１ｎとそれぞれ通信網５２０とは異なる通信網５２１もしくは通信網５２０で接続され、センタ装置５１０〜５１ｎからそれぞれ送信されるデジタル放送を視聴する視聴者毎の個別鍵Ｋｍと、デジタル放送番組（サービス）の視聴権情報などの情報を収集・管理し、複数のセンタ装置５１０〜５１ｎの視聴権情報を統合的に管理する。ＥＭＭ生成手段５０２は、複数のセンタ装置５１０〜５１ｎの全てに対応したワーク鍵Ｋｗとデジタル放送の視聴権情報などを含むＥＭＭを視聴者毎に生成し、生成した視聴者毎のＥＭＭを視聴者毎の個別鍵Ｋｍを用いてスクランブル処理する。ＴＣＰ通信手段５０１は、ＨＴＴＰサーバ機能を備え、複数の端末装置５３０〜５３ｎと通信網５２０を介して接続され、ＥＭＭ生成手段５０２で生成されスクランブル処理されたＥＭＭを端末装置５３０〜５３ｎに対してＴＣＰ通信上のＨＴＴＰプロトコルを用いて送信する。ＥＭＭの送信は、端末装置（受信装置）を特定し、特定した端末装置に対して対象となるＥＭＭを送信する。例えば、特定の端末装置（例えば、端末装置５３０）からのＥＭＭの送信要求に対応して、特定の端末装置５３０に対して特定の端末装置５３０に関連するＥＭＭを送信する。
【００５２】
一方、端末装置５３０〜５３ｎにおいて、接続情報記憶手段１３５は、本発明の実施の形態１における接続情報記憶手段１３５が記憶しているセンタ装置１１０の接続先アドレスおよびポート番号などの代わりに、情報管理装置５００の接続先アドレス情報およびポート番号情報などを記憶し、それらの情報を基に、ＴＣＰ通信手段１３１は情報管理装置５００に対してＥＭＭの送信要求を行う。複数のセンタ装置５１０〜５１ｎにおいてそれぞれＥＭＭを生成した場合は、ＥＭＭに含まれる視聴権の設定や、ＥＭＭのバージョン番号の管理など、それぞれのセンタ装置５１０〜５１ｎ間で取り決めを行う必要があるが、以上のように構成することにより、情報管理装置５００において、それぞれのセンタ装置５１０〜５１ｎにおける顧客情報を統合的に管理することで、ＥＭＭの生成や管理を容易に行えるようになる。また、図４（Ａ）に示した従来のやり方におけるストリームは、視聴者数が増大した場合はＥＭＭを送信するための帯域も視聴者数の増大に伴って増大するが、本発明の実施の形態２に示した構成は、本発明の実施の形態１に示した構成と同様に帯域を削減する効果を有する。
【００５３】
なお、情報管理装置５００は、デジタル放送再送信装置５１０〜５１ｎ毎にワーク鍵を発行する鍵発行手段をさらに備え、該鍵発行手段により発行されたデジタル放送再送信装置５１０〜５１ｎ毎のワーク鍵を通信網５２１または５２０を介して各デジタル放送再送信装置５１０〜５１ｎに送信し、各デジタル放送再送信装置５１０〜５１ｎは、情報管理装置５００から受信した該鍵発行手段により発行されたワーク鍵を用いてそれぞれ共通情報をスクランブル処理するようにしてもよい。
【００５４】
（実施の形態３）
図６を用いて本発明の実施の形態３を説明する。なお、図６は、本発明の実施の形態３における限定受信システムの構成を示すブロック図である。本発明の実施の形態３における限定受信システムは、図６に示すように、基本的には本発明の実施の形態２における情報管理装置５００を複数台備えたものである。
【００５５】
図６において、複数の情報管理装置６１０〜６１ｎ（ｎは１〜９の整数）は、それぞれ本発明の実施の形態２における情報管理装置５００と同様の機能／構成を有し、サービスの内容に応じてそれぞれが管理対象としているデジタル放送の視聴者の顧客情報や鍵情報などを管理する。これらの情報管理装置６１０〜６１ｎは、それぞれデジタル放送サービスを行うサービス事業者により運営されるものとし、また、センタ装置６２０〜６２ｎ（ｎは１〜９の整数）は、それぞれデジタル放送サービスを行ういずれかのサービス事業者により運営されるものとする。また、複数のセンタ装置６２０〜６２ｎは、それぞれ本発明の実施の形態２におけるセンタ装置５１０〜５１ｎと同様の機能／構成を有するものであり、通信網６３０は、本発明の実施の形態２における通信網５２０と同様の通信網であり、さらに、通信網６３１は、本発明の実施の形態２における通信網５２１と同様の通信網であり、複数の情報管理装置６１０〜６１ｎと複数のセンタ装置６２０〜６２ｎは、本発明の実施の形態２におけると同様、それぞれ通信網６３０とは異なる通信網６３１もしくは通信網６３０で接続される。したがって、ここでは、本発明の実施の形態２と異なる部分の説明をし、同様の機能／構成については説明を省略する。なお、ここでは、情報管理装置６１０〜６１ｎ、センタ装置６２０〜６２ｎ及び端末装置６４０〜６４ｎは、それぞれ最大１０台を配置する場合を例に説明するが、それぞれの装置の数はこれに限るものではない。
【００５６】
以上のような構成にすることにより、情報管理装置６１０〜６１ｎの負荷分散や、サービス事業者毎に異なる視聴権を設定することなどを容易に行うことが出来るが、複数の情報管理装置６１０〜６１ｎがシステム内に存在するため、それぞれの端末装置６４０〜６４ｎは、固定的に情報管理装置６１０〜６１ｎへ接続するための接続情報を持つことが出来ない。
【００５７】
以下に、図６及び図７を用いて、本発明の実施の形態３における各々の端末装置６４０〜６４ｎの動作について詳述する。なお、図７は、本発明の実施の形態３における端末装置６４０〜６４ｎの構成を示すブロック図である。
【００５８】
図７において、端末装置６４０は、通信網６３０に接続され、ＩＰマルチキャストで配信される映像や音声などのコンテンツやＥＣＭなどを受信するマルチキャスト受信手段７３２と、情報管理装置６１０〜６１ｎからＥＭＭを取得するＴＣＰ通信手段７３１と、ＴＣＰ通信手段７３１が接続する情報管理装置６１０〜６１ｎのアドレス情報を保持する接続情報記憶手段７３５と、マルチキャスト受信手段７３２で受信したコンテンツをデスクランブル処理及びデコード処理し、表示手段（図示せず）へ出力するＴＳ処理手段７３３と、個別鍵Ｋｍを保持し、スクランブル処理されたコンテンツをデスクランブル処理するための情報を出力するＣＡＳカード７３４などで構成される。
【００５９】
以上のように構成された本発明の実施の形態３における端末装置６４０は、接続情報記憶手段７３５に記憶されている接続情報を、ＴＳ処理手段７３３が受信したデジタル放送に多重されている情報を用いて書き換えることを特徴とするものであり、ＥＭＭの取得方法やデスクランブル処理等については、本発明の実施の形態１において示した端末装置１３０の動作と同様であるのでここでは省略する。
【００６０】
以下に、接続情報記憶手段７３５に記憶されている接続情報を、ＴＳ処理手段７３３が受信したデジタル放送に多重されている情報を用いて書き換える方法について説明する。
【００６１】
まず、各センタ装置６２０〜６２ｎは、デジタル放送にデータ放送を多重してマルチキャスト送信手段１１３から通信網６３０に送信し、各端末装置６４０〜６４ｎは、通信網６３０を介して該デジタル放送を受信する際に必ずこの多重されたデータ放送を真っ先に受信するように構成する。さらに、デジタル放送に多重するデータ放送をスクランブル処理せず、かつ、データ放送に該当するサービスのサービスＩＤをデジタル放送の番組配列情報であるＮＩＴ（Ｎｅｔｗｏｒｋ  Ｉｎｆｏｒｍａｔｉｏｎ  Ｔａｂｌｅ）の先頭に記述する。このようすることにより、視聴者がリモコンなどで該デジタル放送を選局した場合、各端末装置６４０〜６４ｎは必ずデータ放送を受信することが出来る。ＴＳ処理手段７３３は、受信したデータ放送を解析し、解析して抽出した情報にしたがって接続情報記憶手段７３５に記憶されている接続情報を変更する。このデータ放送には、例えば、ＢＭＬ（Ｂｒｏａｄｃａｓｔ  Ｍａｒｋｕｐ  Ｌａｎｇｕａｇｅ）を用いてメモリにデータを書き込む制御情報ｂｒｏｗｓｅｒ．Ｇｒｅｇ［１０］＝１９２．１６８．０．１００、ｂｒｏｗｓｅｒ．Ｇｒｅｇ［１１］＝１０００１を埋め込む。ここで、ｂｒｏｗｓｅｒ．Ｇｒｅｇ［ｘｘ］は端末装置６４０が具備するメモリに任意のデータを書き込む関数であり、ｘｘはメモリのアドレスを示す値である。また、１０は情報管理装置６１０〜６１ｎのアドレス情報を示し、１１は情報管理装置６１０〜６１ｎのポート番号を示す。このような記述をデータ放送に記述することで、端末装置６４０におけるＴＳ処理手段７３３は、接続情報記憶手段７３５が保持している接続情報を変更することができ、複数台ある情報管理装置６１０〜６１ｎのうち、視聴の対象となっているセンタ装置を運営するサービス事業者が管理する特定の情報管理装置の接続情報を、デジタル放送サービスを受信する際に必ず取得することが出来る。これにより、複数の情報管理装置及び複数のセンタ装置で運営される場合においても、リアルタイム性を損なうことのない限定受信システムを実現することが出来る。
【００６２】
なお、各情報管理装置６１０〜６１ｎは、各センタ装置６２０〜６２ｎから送信されるデジタル放送の視聴者の情報を管理しており、特定の情報管理装置、例えば、情報管理装置６１０に接続される端末装置６４０〜６４ｎの数が増大し、特定の情報管理装置６１０の負荷が増大することが考えられるが、昨今のインターネット網を利用したホームページの公開などのように、不特定多数のユーザーに対し、サーバの負荷分散機能などを用いてサーバの負荷を増大させずに運用を可能にしていることを考えれば、情報管理装置６１０〜６１ｎのＨＴＴＰサーバ機能は容易に実現できる。
【００６３】
なお、情報管理装置６１０〜６１ｎにおけるＥＭＭの送信方法はＨＴＴＰを用いた送信としたが、これに限定されるものではなく、例えば、ＦＴＰやその他専用のプロトコルを用いた送信方法としても勿論構わない。
【産業上の利用可能性】
【００６４】
本発明に係る限定受信システム並びにデジタル放送再送信装置、受信装置および情報管理装置は、デジタル放送をＩＰ網により放送する場合に、ＩＰ網の帯域を圧迫せず、かつ、リアルタイムに制御を可能にするシステム並びに装置として有用である。
【図面の簡単な説明】
【００６５】
【図１】本発明の実施の形態１における限定受信システムの構成を示すブロック図
【図２】本発明の実施の形態１の端末装置におけるＥＭＭの取得に関する処理を示すフローチャート
【図３】ＴＳパケットの構成の一例を示す図
【図４】本発明の実施の形態１による伝送帯域削減の様子を示す図
【図５】本発明の実施の形態２における限定受信システムの構成を示すブロック図
【図６】本発明の実施の形態３における限定受信システムの構成を示すブロック図
【図７】本発明の実施の形態３における端末装置の構成を示すブロック図
【図８】従来の限定受信方式による限定受信システムの構成を示すブロック図
【符号の説明】
【００６６】
１１０  センタ装置
１１１  ＴＳパケット化手段
１１２  スクランブル処理／多重手段
１１３  マルチキャスト送信手段
１１４  顧客情報／鍵情報管理手段
１１５  ＥＭＭ生成手段
１１６  ＥＣＭ生成手段
１１７  ＴＣＰ通信手段
１２０  通信網
１３０  端末装置
１３１  ＴＣＰ通信手段
１３２  マルチキャスト受信手段
１３３  ＴＳ処理手段
１３４  ＣＡＳカード
１３５  接続情報記憶手段
５００  情報管理装置
５０１  ＴＣＰ通信手段
５０２  ＥＭＭ生成手段
５０３  顧客情報／鍵情報管理手段
５１０〜５１ｎ センタ装置
５２０  通信網
５２１  通信網
５３０〜５３ｎ 端末装置
６１０〜６１ｎ 情報管理装置
６２０〜６２ｎ センタ装置
６３０  通信網
６３１  通信網
６４０〜６４ｎ  端末装置
７３１  ＴＣＰ通信手段
７３２  マルチキャスト受信手段
７３３  ＴＳ処理手段
７３４  ＣＡＳカード
７３５  接続情報記憶手段
Ｘ１０１  放送局
Ｘ１０２  受信装置
Ｘ１０３  ＩＣカード
Ｘ１０１１  ＴＳパケット化処理部
Ｘ１０１２  スクランブル処理部
Ｘ１０１３  ＥＭＭ／ＥＣＭ生成部
Ｘ１０１４  多重部
Ｘ１０２１  デスクランブル処理部
Ｘ１０３１  ＥＭＭ／ＥＣＭ解釈部
【図１】
2008244717.tif 000003
【図２】
2008244717.tif 000004
【図５】
2008244717.tif 000005
【図６】
2008244717.tif 000006
【図７】
2008244717.tif 000007
【図８】
2008244717.tif 000008
【図３】
2008244717.tif 000009
【図４】
2008244717.tif 000010